(57)【要約】【課題】電気式発熱体が内蔵された床暖房パネルの種類を外部から容易に識別することが可能な床暖房パネルを提供することである。【解決手段】床暖房パネルは、床材本体内に電気ヒータ（電熱式発熱体）が埋設された電熱式の床暖房パネルである。床暖房パネルは、電気ヒータの配設パターンＡ〜Ｄを外部から識別するための配設パターン識別領域４ａ〜４ｄを有している。配設パターン識別領域４ａ〜４ｄは、床暖房パネルに通電することによって、配設パターンＡ〜Ｄに特有の温度分布を表出する。【選択図】図２
2013127325.tif 000002
【特許請求の範囲】
【請求項１】
床材内に電熱式発熱体が所定の配設パターンで埋設された床暖房パネルにおいて、
前記電熱式発熱体の配設パターンを外部から識別するための配設パターン識別領域があり、前記配設パターン識別領域は、床暖房パネルに通電することによって、前記配設パターンに特有の温度分布を表出し、前記温度分布を特定することで床暖房パネルの電熱式発熱体の配設パターンを識別することが可能であることを特徴とする床暖房パネル。
【請求項２】
配設パターン識別領域は床暖房パネルの端部またはその近傍にあり、前記配設パターン識別領域には、床暖房パネルに通電することによって発熱する発熱部位と通電しても発熱しない非発熱部位があり、前記発熱部位と非発熱部位の位置関係が、前記電熱式発熱体の配設パターンに特有のものであることを特徴とする請求項１に記載の床暖房パネル。
【発明の詳細な説明】
【技術分野】
【０００１】
本発明は、床暖房パネルに関し、さらに詳細には、電気式発熱体を内蔵した床暖房パネルに関する。
【背景技術】
【０００２】
床暖房パネルには、電気で発熱する発熱体を床下に配置したものなど、様々なものがある。特許文献１には、電気ヒータを内蔵した床暖房パネルが開示されている。
【０００３】
特許文献１に記載された床暖房パネルでは、長板状の床材本体の内部に、床材本体よりも一回り程小さい電気ヒータが内蔵されている。このような床暖房パネルを、室内に複数並べて敷設することで、室内の床面全体を暖めることが可能である。しかし、室内において、発熱領域を特定箇所に限定したいという要求もある。そのため、床材の半分だけ暖めることが可能なものや、床材の４分の３だけ暖めることが可能なもの等、電気ヒータの大きさや形状が異なる様々な床暖房パネルが開発されている。
【先行技術文献】
【特許文献】
【０００４】
【特許文献１】特開２０１０−７８１８６号公報
【発明の概要】
【発明が解決しようとする課題】
【０００５】
例えば、床暖房パネルの床材本体の表面が損傷し、取り替えが必要となった場合、床暖房パネルの種類を特定し、同じ品番や型式の床暖房パネルと交換する必要がある。ところが、床暖房パネルのデザインが同一の場合には、床材本体の表面を見ただけでは、床暖房パネルの品番や型式が表示されていないため、どのような形状の電気ヒータを内蔵しているかを判断することはできなかった。
【０００６】
そのため、従来は、床暖房パネルに通電して暖め、床材本体の表面を手で触って発熱領域を確認することにより、床材本体に内蔵された電気ヒータの大きさや形状を判断し、床暖房パネルの品番や型式を特定するしかなかった。しかし、多品種の床暖房パネルの中から、発熱領域を手で触って確認するだけで床暖房パネルの種類を特定することは、手間が掛かる。
【０００７】
そこで、本発明は、電気式発熱体が内蔵された床暖房パネルの種類を外部から容易に識別することが可能な床暖房パネルの提供を目的とする。
【課題を解決するための手段】
【０００８】
上記課題を解決するための請求項１に記載の発明は、床材内に電熱式発熱体が所定の配設パターンで埋設された床暖房パネルにおいて、前記電熱式発熱体の配設パターンを外部から識別するための配設パターン識別領域があり、前記配設パターン識別領域は、床暖房パネルに通電することによって、前記配設パターンに特有の温度分布を表出し、前記温度分布を特定することで床暖房パネルの電熱式発熱体の配設パターンを識別することが可能であることを特徴とする床暖房パネルである。
【０００９】
本発明の床暖房パネルは、電熱式発熱体の配設パターンを外部から識別するための配設パターン識別領域を有し、前記配設パターン識別領域は、床暖房パネルに通電することによって、前記配設パターンに特有の温度分布を表出する。その結果、床暖房パネルの種類を、外部から容易に識別することができる。なお、表出された温度分布を識別する具体的手段としては、例えば、対象物から発せられる赤外線放射エネルギーを検出し温度分布の状態を画像表示するサーモグラフィ装置の使用が挙げられる。
【００１０】
請求項２に記載の発明は、配設パターン識別領域は床暖房パネルの端部またはその近傍にあり、前記配設パターン識別領域には、床暖房パネルに通電することによって発熱する発熱部位と通電しても発熱しない非発熱部位があり、前記発熱部位と非発熱部位の位置関係が、前記電熱式発熱体の配設パターンに特有のものであることを特徴とする請求項１に記載の床暖房パネルである。
【００１１】
本発明で採用する床暖房パネルでは、配設パターン識別領域は床暖房パネルの端部またはその近傍に設けている。例えば、端部同士が突き合わされた２枚の床暖房パネルにおいて、配設パターン識別領域同士を隣接させることにより、隣り合う床暖房パネル１の配設パターンを一度に確認できるため、簡便である。
【００１２】
また、前記配設パターン識別領域には、床暖房パネルに通電することによって発熱する発熱部位と、通電しても発熱しない非発熱部位があり、前記発熱部位と非発熱部位の位置関係が、前記電熱式発熱体の配設パターンに特有のものである。例えば、サーモグラフィ装置を用いた際に、発熱部位と非発熱部位とを判別することは容易であり、配設パターンの特定が確実且つ容易である。
【発明の効果】
【００１３】
本発明の床暖房パネルによれば、電気式発熱体が内蔵された床暖房パネルの種類を、外部から容易に識別することができる。
【図面の簡単な説明】
【００１４】
【図１】本発明の実施形態に係る床暖房パネルが複数並べて敷設された状態を示す平面図である。
【図２】（ａ）〜（ｄ）は配設パターン識別領域における配設パターン特有の温度分布を示す平面図であり、（ｅ）は温度分布を表出するためのセグメントの構造を示す説明図である。
【発明を実施するための形態】
【００１５】
以下、本発明の床暖房パネルの実施形態について、図面を参照しながら詳細に説明する。なお、以下の説明は、実施形態の理解を容易にするためのものであり、これによって、本発明が制限して理解されるべきではない。
【００１６】
本発明の実施形態に係る床暖房パネル１は、図１に示すように、床２０に複数並べて用いられるものである。
【００１７】
床暖房パネル１は、長尺状の床材本体２内に、電気ヒータ（電熱式発熱体）３が埋設されたものである。床暖房パネル１の長手方向における端部近傍には、配設パターン識別領域４が設けられている。配設パターン識別領域４は、床暖房パネル１に内蔵された電気ヒータ３の配設状態を示すための配設パターンを表出させるためのものである。
【００１８】
なお、図１において、電気ヒータ３は通電させて発熱した状態であり、発熱領域を示すために色を付けて描写している。
【００１９】
床暖房パネル１として、床暖房パネル１ａ〜１ｄの４種類が用いられている。本実施形態では、床暖房パネル１ａ〜１ｄにおいて、床材本体２は同じデザインであるが、床材本体２に内蔵された電気ヒータ３の配設パターンが相違しており、それぞれ配設パターンＡ〜Ｄで電気ヒータ３が埋設されている。配設パターンＡ〜Ｄは、床暖房パネル１ａ〜１ｄが有する配設パターン識別領域４ａ〜４ｄにそれぞれ表出されるものである。なお、配設パターンＡ〜Ｄについては後述する。
【００２０】
ここで、本実施形態における床暖房パネル１ａ〜１ｄの配置状態（並べ方）について、図１を参照しながら説明する。以下の説明において、左右方向、上下方向は、いずれも図１を基準とする。
【００２１】
図１に示すように、複数の床暖房パネル１は、同じ向きに方向を揃えて上下左右に敷き詰められている。
【００２２】
左右方向に着目すると、床暖房パネル１は、その長手方向における端部（すなわち、短辺または短手側面）同士を突き合わせて配置されており、かつ配設パターン認識領域４同士が隣接して位置している。複数の床暖房パネル１が左右方向に並べられて１つの「行」を成しているともいえる。
【００２３】
一方、上下方向に着目すると、複数の床暖房パネル１で構成される上記の「行」が複数あり、その長手側面同士を接触させて並んでいる。本実施形態では６個の行がある。また、上下に隣接する行同士を比較すると、床暖房パネル１の前記端部の左右方向の位置は揃っていない。詳細には、上から１，３，５行目の行については端部の位置が揃っており、同様に、上から２，４，６行目の行については端部の位置が揃っている。しかしながら、１，３，５行目の行と２，４，６行目の行とを比較すると、端部の左右方向の位置が、床暖房パネル１の全長の約１／３程度の長さだけずれており、全体として互い違いになっている。
【００２４】
各行において、隣接する床暖房パネル１では、配設パターン識別領域４同士が隣接している。詳細には、一番上の行では、暖房パネル１ｄの配設パターン識別領域４ｄと、床暖房パネル１ｃの配設パターン識別領域４ｃが隣接している。上から２つ目の行では、暖房パネル１ｂの配設パターン識別領域４ｂと、床暖房パネル１ａの配設パターン識別領域４ａが隣接している。
【００２５】
上から３つ目の行では、暖房パネル１ｄの配設パターン識別領域４ｄと、床暖房パネル１ａの配設パターン識別領域４ａが隣接している。上から４つ目の行では、暖房パネル１ｂの配設パターン識別領域４ｂと、床暖房パネル１ａの配設パターン識別領域４ａが隣接している。なお、床暖房パネル１が配置されていない箇所には、電気ヒータを内蔵していない一般的な床材１０が敷設されている。
【００２６】
前述の通り、床暖房パネル１ａ〜１ｄでは、床材本体２に内蔵された電気ヒータ３の配設パターンが相違しており、それぞれ配設パターンＡ〜Ｄで電気ヒータ３が埋設されている。
【００２７】
床暖房パネル１ａでは、床材本体２の全体の面積の内、約左半分に電気ヒータ３が位置している。この状態が、配設パターンＡである。配設パターンＡを表出する配設パターン識別領域４ａは、床材本体２の左端部に設けられている。
【００２８】
床暖房パネル１ｂでは、床材本体２の全体の面積の内、左端部の近傍を除く、略全体にわたって、電気ヒータ３が位置している。この状態が、配設パターンＢである。配設パターンＢを表出する配設パターン識別領域４ｂは、床材本体２の右端部に設けられている。
【００２９】
床暖房パネル１ｃでは、床材本体２の面積の全体にわたって、電気ヒータ３が位置している。この状態が、配設パターンＣである。配設パターンＣを表出する配設パターン識別領域４ｃは、床材本体２の左端部に設けられている。
【００３０】
床暖房パネル１ｄでは、床材本体２の全体の面積の内、右端から４分の３程度にわたって、電気ヒータ３が位置している。この状態が、配設パターンＤである。配設パターンＤを表出する配設パターン識別領域４ｄは、床材本体２の右端部に設けられている。
【００３１】
ここで、配設パターン識別領域４について説明する。配設パターン識別領域４は、図２（ｅ）に示すように、５つのセグメントｓ１〜ｓ５を有している。セグメントｓ１〜ｓ５は、縦１列５行に区分された領域であり、温度分布を表出するものである。詳細には、セグメントｓ１〜ｓ５は、発熱部位と非発熱部位の組み合わせによって、電気ヒータ３の配設パターンを示すものである。
【００３２】
図２（ａ）〜（ｄ）は、配設パターン識別領域４ａ〜４ｄにおいて、配設パターンＡ〜Ｄを識別するための温度分布を示すものである。なお、図２（ａ）〜（ｄ）において、発熱するセグメント（発熱部位）を黒色で描写し、発熱しないセグメント（非発熱部位）を白色（空白）で描写している。
【００３３】
図２（ａ）は、配設パターン識別領域４ａに表出される配設パターンＡに特有の温度分布を示している。ｓ２，ｓ３，ｓ５は発熱するセグメントであり、ｓ１，ｓ４は発熱しないセグメントである。図２（ａ）に示すように、上から、白色・黒色・黒色・白色・黒色となる状態を、配設パターンＡとして識別する。例えば、サーモグラフィ装置を用いた場合に、配設パターンＡは、上から、無色・有色・有色・無色・有色として見える。なお、有色となるセグメントの色は、電気ヒータ３の温度に応じて変わるものであり、サーモグラフィ装置で設定されている色の種類に依存するものである。
【００３４】
図２（ｂ）〜（ｄ）は、図２（ａ）の配設パターン識別領域４ａと同様に、配設パターン識別領域４ｂ〜４ｄに表出される配設パターンＢ〜Ｄに特有の温度分布を示している。
【００３５】
図２（ｂ）に示す配設パターン識別領域４ｂに表出される配設パターンＢにおいて、ｓ１，ｓ２，ｓ４は発熱するセグメントであり、ｓ３，ｓ５は発熱しないセグメントである。上から、黒色・黒色・白色・黒色・白色となる状態を、配設パターンＢとして識別する。
【００３６】
図２（ｃ）に示す配設パターン識別領域４ｃに表出される配設パターンＣにおいて、ｓ２〜ｓ４は発熱するセグメントであり、ｓ１，ｓ５は発熱しないセグメントである。上から、白色・黒色・黒色・黒色・白色となる状態を、配設パターンＣとして識別する。
【００３７】
図２（ｄ）に示す配設パターン識別領域４ｄに表出される配設パターンＤにおいて、ｓ１，ｓ３，ｓ４は発熱するセグメントであり、ｓ２，ｓ５は発熱しないセグメントである。上から、黒色・白色・黒色・黒色・白色となる状態を、配設パターンＤとして識別する。
【００３８】
以上のように、本実施形態に係る床暖房パネル１によれば、電気ヒータ３（電熱式発熱体）の配設パターンＡ〜Ｄを外部から識別するための配設パターン識別領域４ａ〜４ｄを有している。配設パターン識別領域４ａ〜４ｄは、床暖房パネル１ａ〜１ｄに通電することによって、配設パターンＡ〜Ｄに特有の温度分布を表出する。その結果、床材本体２が同じデザインであっても、床暖房パネル１ａ〜１ｄの種類を、外部から容易に識別することができる。例えば、サーモグラフィ装置を用いて、配設パターンＡ〜Ｄに特有の温度分布を特定することにより、床暖房パネル１ａ〜１ｄが有する電気ヒータ３の配設パターンＡ〜Ｄを識別することができる。
【００３９】
また、配設パターン識別領域４ａ〜４ｄには、床暖房パネル１ａ〜１ｄに通電することによって発熱するセグメント（発熱部位）と、通電しても発熱しないセグメント（非発熱部位）があり、発熱するセグメントと発熱しないセグメントの位置関係が、電気ヒータ３の配設パターンＡ〜Ｄに特有のものである。例えば、サーモグラフィ装置を用いた際に、発熱するセグメントと発熱しないセグメントとを判別することは容易であり、配設パターンＡ〜Ｄの特定が確実且つ容易である。
【００４０】
さらに、床暖房パネル１ａ〜１ｄにおいて、配設パターン識別領域４同士が隣接している。例えば、図１に示したように、一番上の行では、暖房パネル１ｄの配設パターン識別領域４ｄと、床暖房パネル１ｃの配設パターン識別領域４ｃが隣接している。このように、配設パターン識別領域４同士を隣接させたことにより、隣り合う床暖房パネル１の配設パターンＡ〜Ｄを一度に確認できるため、簡便である。
【００４１】
上記実施形態では、配設パターン識別領域４ａ〜４ｄに、縦１列５行のセグメントｓ１〜ｓ５を設けた例を示したが、本発明はこれに限定される訳ではない。配設パターン識別領域４ａ〜４ｄは、電気ヒータ３の配設パターンを示す記号を温度分布として表出できればよく、任意に設定可能である。また、電気ヒータ３の配設パターン以外にも、床暖房パネル１の生産時期を示すロット番号や、床暖房パネル１の世代を示すバージョン番号等の情報を盛り込んでも構わない。
【００４２】
上記実施形態では、床暖房パネル１を、床暖房パネル１ａ〜１ｄというように４種類とする例を示したが、本発明はこれに限定される訳ではない。床暖房パネル１の種類は何種類でも構わない。
【符号の説明】
【００４３】
１，１ａ〜１ｄ    床暖房パネル
２    床材本体
３    電気ヒータ（電熱式発熱体）
４，４ａ〜４ｄ    配設パターン識別領域
Ａ〜Ｄ    配設パターン
【図１】
2013127325.tif 000003
【図２】
2013127325.tif 000004